(57)【要約】【課題】表示部に表示されている内容を容易に再活用する。【解決手段】画面上にデータを選択可能に表示する表示手段と、  前記画面上に表示しているデータから所定のデータを選択する選択手段と、  前記選択された所定のデータに関連する、前記画面の表示内容に対応したデータを抽出する抽出手段と、  前記抽出されたデータを送信する通信手段と、  を有することを特徴とするデータ変換装置が提供される。【選択図】図９
2014165652.tif 000002
【特許請求の範囲】
【請求項１】
画面上にデータを選択可能に表示する表示手段と、
前記画面上に表示しているデータから所定のデータを選択する選択手段と、
前記選択された所定のデータに関連する、前記画面の表示内容に対応したデータを抽出する抽出手段と、
前記抽出されたデータを送信する通信手段と、
を有することを特徴とするデータ変換装置。
【請求項２】
前記抽出手段は、前記選択された所定のデータの内容に応じたデータを抽出して前記選択されたデータに付加し、
前記通信手段は、前記選択されたデータに抽出されたデータを付加して送信することを特徴とする請求項１に記載のデータ変換装置。
【請求項３】
更に、前記抽出されたデータを前記送信先の機器が処理可能なデータ形式に変換する変換手段を有し、
前記通信手段は、前記変換されたデータを送信することを特徴とする請求項１又は２に記載のデータ変換装置。
【請求項４】
前記変換手段は、前記送信先の機器が処理可能なデータ形式を、該送信先の機器から取得することを特徴とする請求項３に記載のデータ変換装置。
【請求項５】
前記抽出手段は、前記抽出されたデータを利用するためのアプリケーションの起動要求を前記抽出されたデータとともに前記送信先の機器に送信することを特徴とする請求項１〜４のいずれか一項に記載のデータ変換装置。
【請求項６】
更に、前記選択されたデータの種類を識別するための情報を該選択されたでデータに対応付けて記憶する記憶手段を有し、
前記抽出手段は、前記選択された所定のデータの種類に応じたデータを付加する、
ことを特徴とする請求項２〜４のいずれか一項に記載のデータ変換装置。
【請求項７】
前記選択手段は、画面上に表示しているデータのうちの一部のデータを選択する、
ことを特徴とする請求項１〜７のいずれか一項に記載のデータ変換装置。
【請求項８】
画面上にデータを選択可能に表示する処理と、
前記画面上に表示しているデータから所定のデータを選択する処理と、
前記選択された所定のデータに関連する、前記画面の表示内容に対応したデータを抽出する処理と、
前記抽出されたデータを送信する処理と、
をコンピュータが実行するデータ提供方法。
【請求項９】
画面上にデータを選択可能に表示する処理と、
前記画面上に表示しているデータから所定のデータを選択する処理と、
前記選択された所定のデータに関連する、前記画面の表示内容に対応したデータを抽出する処理と、
前記抽出されたデータを送信する処理と、
をコンピュータに実行させるプログラム。
【発明の詳細な説明】
【技術分野】
【０００１】
本発明は、データ変換装置、データ提供方法およびプログラムに関する。
【背景技術】
【０００２】
例えば、画像形成装置には表示部が設けられ、該表示部には、内部の画像データやテキストデータ、あるいはネットワークを介して外部機器から得られたデータが表示される。表示部に表示されているデータを利用して様々なサービスが提案されている。
【０００３】
例えば、特許文献１には、複合機のパネルが小さい場合の文字入力効率を高める目的で、携帯電話や携帯端末を用いて複合機への文字入力を行う、あるいは遠隔操作を行う構成が開示されている。
【０００４】
また、特許文献２には、携帯端末が表示している内容を複合機に送信して印刷を行う、あるいは、複合機内部にあるファイルを携帯端末に送る目的で、携帯端末と複合機とが連携する構成が開示されている。
【０００５】
さらに、特許文献３には、複合機が保存しているアドレス帳データを携帯端末に送る目的で、携帯端末と複合機が連携する構成が開示されている。
【発明の概要】
【発明が解決しようとする課題】
【０００６】
しかしながら、上記提案では、表示部に表示されている内容を表示以外の用途で使うことができないという課題を有する。
【０００７】
例えば、特許文献１〜３では、複合機が表示している内容、あるいは表示を通じてユーザに知らしめようとしている内容を視認する以外の使い道がない。
【０００８】
一側面では、表示部に表示されているデータを容易に再活用することを目的とする。
【課題を解決するための手段】
【０００９】
一の態様によれば、
画面上にデータを選択可能に表示する表示手段と、
前記画面上に表示しているデータから所定のデータを選択する選択手段と、
前記選択された所定のデータに関連する、前記画面の表示内容に対応したデータを抽出する抽出手段と、
前記抽出されたデータを送信する通信手段と、
を有することを特徴とするデータ変換装置が提供される。
【発明の効果】
【００１０】
一案によれば、表示部に表示されている内容を容易に再活用することができる。
【図面の簡単な説明】
【００１１】
【図１】複合機の表示部の一例。
【図２】複合機の表示部の利用例。
【図３】複合機の表示部の利用例。
【図４】一実施形態に係る複合機の表示部に表示されているデータの利用例１。
【図５】一実施形態に係る複合機の表示部に表示されているデータの利用例２。
【図６】一実施形態に係る複合機の内部構成例。
【図７】一実施形態に係るデータ提供処理を実行するためのフローチャート。
【図８】一実施形態に係る初期化処理を実行するためのフローチャート。
【図９】一実施形態に係る選択／送信処理を実行するためのフローチャート。
【図１０】一実施形態に係る選択／送信処理の具体例。
【図１１】一実施形態に係る選択／送信処理の具体例。
【図１２】一実施形態に係る選択／送信処理の具体例。
【図１３】一実施形態に係る選択／送信処理の具体例。
【図１４】一実施形態に係る選択／送信処理の具体例。
【図１５】一実施形態に係る表示用データと識別用データとを関連付けて記憶した例。
【図１６】一実施形態に係る選択／送信処理の具体例。
【図１７】一実施形態に係るデータ形式の情報取得例。
【図１８】一実施形態に係るデータ変換装置のハードウェア構成例。
【発明を実施するための形態】
【００１２】
以下、本発明の好適な実施形態について添付の図面を参照しながら説明する。なお、本明細書及び図面において、実質的に同一の構成については、同一の符号を付することにより重複した説明を省く。
【００１３】
＜はじめに＞
通常、画像形成装置には、操作可能な表示部が設けられている。図１には、画像形成装置の一例として複合機１０の表示部１１が示されている。表示部１１には、内部の画像データやテキストデータ、あるいはネットワークを介して外部機器から得られたデータが表示される。
【００１４】
ところが、仮に、表示されている画面に有用なデータが存在していても、データとして受け取ることができなければ情報としての価値は乏しい。その一例について、図２を参照しながら説明する。複合機１０にトナー切れが発生したとき、表示部１１に注文先の電話番号が表示されるとする。図には、電話番号、ＵＲＬ、Ｅメールアドレス、そして何のトナーが切れたのかが有用なデータとして表示されている。しかし、このデータを活用するためには、ユーザーＵは、表示部１１の電話番号を目視してスマートフォン１２ａや図示しない携帯電話等の携帯機器に電話番号を入力し、また何のトナーが切れたのかを判読して注文しなければならない。つまり、ユーザーＵは、表示部１１に表示されているデータを容易に再活用することができない。
【００１５】
また、図３に示されるように、表示部１１にＷｅｂサイトが表示されている場合、ユーザーＵが店の予約を行うときも同様に、電話番号などの情報を目視して入力しなければならない。つまり、ユーザーＵは、表示部１１に表示されている有用な情報としてのデータを容易に再活用することができない。
【００１６】
そこで、本実施形態に係る画像形成装置では、表示部にユーザーが利用可能な情報が表示されている状態において、その情報はユーザーにより選択可能に表示されているため、選択した情報を、モバイル端末等の送信先の機器に簡単に転送できる。これにより、送信先の機器にて、表示部に表示されているデータを容易に再活用できる。以下に、具体的な利用例を示す。
【００１７】
（利用例１）
利用例１としては、図４に示されるように、表示部１１の画面には有用な情報が表示されている。この状態で、ユーザーＵは、スマートフォン１２ａ等の送信先の機器に転送する操作、ここではフリックを実施する。例えば、ユーザーＵが電話番号の部分を選択してフリックすると、電話番号がスマートフォン１２ａに転送される。ユーザーＵがフリックする対象がＵＲＬであれば、ＵＲＬがスマートフォン１２ａに転送される。
【００１８】
また、ユーザーＵが、図４に図示されている「注文してください」をフリックすると、切れたトナー、用紙情報を一括してメール送信するコマンド（要求）を含む情報がスマートフォン１２ａに転送される。
【００１９】
（利用例２）
利用例２としては、図５に示されるように、表示部１１の画面から、ユーザーＵが有用な情報と判断した情報を選択し、フリック操作を行う。このようにユーザーＵは、「選択」及び「フリック」という簡単な操作で、モバイル機器等の送信先の機器（以下、外部機器ともいう。）に情報を渡すことができる。なお、外部機器に情報を送信する操作は、フリックに限られず、例えば、ダブルタップやその他の操作であってもよい。
【００２０】
以上のように、本実施形態では、表示部１１にユーザーＵが利用したいデータが選択可能に表示されている状態において、ユーザーＵが選択した情報を送信先の機器に簡単に転送できる。これにより、表示部に表示されているデータを送信先の機器にて容易に再活用できる。よって、例えば、従来であればトナー切れが発生した際に、注文先の電話番号、ＵＲＬあるいはメールアドレスが表示されると、その表示内容を目視して、手作業でメモをとったりデータ入力したりするしかなかったが、本実施形態では、表示されているデータを指定して電子データとして、スマートフォンあるいは、タブレットに送信することによって、簡単にアクセスすることができる。以下、本実施形態に係る画像形成装置について、複合機１０を例に挙げながら詳細に説明する。
【００２１】
［複合機の内部構成］
まず、一実施形態に係る複合機１０の内部構成について、図６を参照しながら説明する。図６は、一実施形態に係る複合機の内部構成を示す。
【００２２】
複合機１０は、表示手段２１、操作手段２２、制御手段２３、画像入力手段２４、画像出力手段２５、編集手段２６、１次記憶手段２７、２次記憶手段２８、変換手段２９、電子化判定手段３０、通信手段３１、選択手段３２及び抽出手段３３を有する。
【００２３】
表示手段２１は、複合機１０に設けられた表示部１１の画面上にデータを選択可能に表示する。
【００２４】
操作手段２２は、表示部１１に積層されたタッチパネル式の操作画面への入出力を制御する。ユーザーは、操作手段２２を操作することにより、表示データから抽出したいデータを選択し、スマートフォン等の外部機器へ送信の要求を行う。
【００２５】
制御手段２３は、各手段への制御要求を行う。例えば、制御手段２３は、選択手段３２及び抽出手段３３への制御要求を行う。選択手段３２は、画面上に表示しているデータから所定のデータを選択する。抽出手段３３は、選択された所定のデータに関連する、画面の表示内容に対応したデータを抽出する。
【００２６】
また、制御手段２３は、抽出データの識別制御を行う。制御手段２３は、外部機器への要求処理を付加する。制御手段２３は、送信先の機器である外部機器が対応できるデータ形式を取得する。制御手段２３は、外部機器に対応できるように変換制御を行う。制御手段２３は、識別データを判断する制御を行う。制御手段２３は、表示されているユーザーへの注意喚起に沿ったデータであることを識別して、それにあわせたデータ送信を制御する。
【００２７】
画像入力手段２４は、画像の入力を行う。画像出力手段２５は、画像の出力を行う。
【００２８】
編集手段２６は、画像に対して、拡大/縮小、回転、印字、画像合成などの編集作業を行う。
【００２９】
１次記憶手段２７は、画像処理や処理制御のための記憶を一時的に格納する。１次記憶手段２７は、設定データや１次データを保持する。１次記憶手段２７は、画像変換時にも利用される。
【００３０】
２次記憶手段２８は、画像や設定関連のデータを保持し続けるために使用する。２次記憶手段２８は、対応できるデータ形式を保持するためにも利用される。
【００３１】
変換手段２９は、抽出したデータを指定されたデータ形式に変換する。変換手段２９は、外部機器で処理可能なデータ形式に変換する。
【００３２】
電子化判定手段３０は、抽出したデータに対してどの電子化が可能であるか、あるいは抽出したデータに対してどの電子化が適切なのかを判定する。電子化判定手段３０は、選択したデータから、送信先の機器に合わせた適切な命令データを判断する。電子化判定手段３０は、送信先の機器に合わせた適切なデータ変換を判断する。電子化判定手段３０は、表示されている指示情報に合わせたデータ変換を判断する。
【００３３】
通信手段３１は、外部機器と通信し、選択されたデータや抽出されたデータを送信する。通信手段３１は、外部機器が処理可能なデータ形式のデータをやり取りする。例えば、通信手段３１は、外部機器の一例として図９に示したスマートフォン１２ａ、複合機１２ｂ、タブレット型機器１２ｃ、インターネットにより接続されるＰＣ１２ｄ等と、電子化されたデータを送信、あるいは受信する。スマートフォン１２ａ、複合機１２ｂ等は電子化されたデータを送信又は受信する外部機器の一例であり、通信機能を有していればどんな機器でも外部機器になり得る。
【００３４】
複合機１２ｂは、複合機１２ｂ自身が扱うことが可能な画像形式データと複合機１２ｂ自身の識別データを、複合機１０に送信することで複合機１２ｂが処理可能なデータを複合機１０から受信することができる。
【００３５】
タブレット型機器１２ｃは、タブレット型機器１２ｃ自身が扱うことが可能な画像形式データとタブレット型機器１２ｃ自身の識別データを、複合機１０に送信することでタブレット型機器１２ｃが処理可能なデータを複合機１０から受信することができる。
【００３６】
スマートフォン１２ａは、スマートフォン１２ａ自身が扱うことが可能な画像形式データとスマートフォン１２ａ自身の識別データを、複合機１０に送信することでスマートフォン１２ａが処理可能なデータを受信する事ができる。
【００３７】
インターネットに接続されたＰＣ１２ｄは、スマートフォン１２ａ、複合機１２ｂ、タブレット型機器１２ｃが扱うことが可能な画像形式データを、複合機１０に送信する。これにより、スマートフォン１２ａ、複合機１２ｂ、タブレット型機器１２ｃが処理可能なデータを作成し、各機に送信することができる。
【００３８】
［データ提供処理］
次に、本実施形態に係るデータ提供処理について、図７を参照しながら説明する。図７は、本実施形態に係るデータ提供処理を示したフローチャートである。本実施形態に係るデータ提供処理では、まず、初期化処理が行われる（ステップＳ１０）。初期化処理の詳細は、図８を参照しながら後述する。
【００３９】
次に、選択／送信処理が行われ（ステップＳ１２）、本処理を終了する。選択／送信処理の詳細は、図９を参照しながら後述する。
【００４０】
なお、以上の処理により選択されたデータ又は抽出されたデータは、外部機器に送信され得る。これにより、表示部１１に選択可能に表示されているデータを、複合機１０以外の機器にて容易に活用することができる。
【００４１】
（初期化処理）
図８を参照しながら、ステップＳ１０の初期化処理の詳細について説明する。初期化処理では、最初に、制御手段２３は、テキストデータであれば自動でそれに対応した命令データを付加するかを判定する（ステップＳ１０１）。命令データを付加すると判定された場合、制御手段２３は、命令付加を行う制御を行う（ステップＳ１０３）。抽出手段３３は、画面上から選択されたデータの内容に応じたデータを抽出し、選択されたデータに付加する。命令データを付加しないと判定された場合、ステップＳ１０３に進む。
【００４２】
次に、制御手段２３は、接続するスマートフォン１２ａ等の外部機器に対応するデータ形式を取得するかを判定する（ステップＳ１０３）。データ形式を取得すると判定された場合、変換手段２９は、外部機器から対応データ形式を取得して保持し（ステップＳ１０４）、本処理を終了する。データ形式を取得しないと判定された場合、そのまま本処理を終了する。
【００４３】
（選択及び送信処理）
次に、図９を参照しながら、ステップＳ１２の選択及び送信処理の詳細について説明する。まず、表示手段２１は、表示部１１の画面上にデータを表示する（ステップＳ１２１）。画面上のデータは、識別データと対応付けて記憶されている。
【００４４】
次に、選択手段３２は、表示データを選択したかを判定する（ステップＳ１２２）。表示データを選択していないと判定された場合、ステップＳ１２１に戻り、表示データを選択したと判定された場合、ステップＳ１２３に進む。
【００４５】
次に、抽出手段３３は、選択されたデータの種類を判定する（ステップＳ１２３）。選択されたデータの種類がテキストであると判定された場合、ステップＳ１２４に進み、選択されたデータの種類が画像の場合、ステップＳ１２７に進み、選択されたデータの種類が指示の場合、ステップＳ１２９に進む。
【００４６】
選択されたデータの種類を判定する処理について、図１０及び図１１を参照しながら具体的に説明する。ここでは、表示部１１に表示されているブラウジングのデータを例にしている。ブラウジングの場合、ｈｔｍｌタグ情報によって表示処理が行われる。そのため、選択したデータはタグ情報と紐付けられている。これにより、選択したデータが、テキストデータ、画像又はＵＲＬのいずれかの区別が可能になっている。
【００４７】
図１０では、ユーザーＵによるタッチ動作Ａｂで選択されたデータは、タグ情報Ｂｂと紐付けられている。タグ情報Ｂｂには、選択されたデータ「完全個室  飲み放題２０００円コース」がｈｔｍｌタグ情報（ボディタグでくくられている）であるから、選択されたデータはテキストデータであると判定される。
【００４８】
図１１では、ユーザーＵによるタッチ動作Ａｂで選択されたデータは、タグ情報Ｂｃと紐付けられている。タグ情報Ｂｃには、選択されたデータがｈｔｍｌタグ情報（ｉｍｇｈタグでくくられている）であるから、選択されたデータは画像データであると判定される。
【００４９】
ステップＳ１２３にて選択されたデータの種類がテキストの場合、抽出手段３３は、テキストデータの種類を判定する（ステップＳ１２４）。ついで、抽出手段３３は、テキストデータの種類に合致した、スマートフォン１２ａ等の送信先の機器への命令を選択されたデータに付加するかを判定する（ステップＳ１２５）。
【００５０】
具体的な判定方法としては、例えば、テキストデータの形式が電話番号だったり、ＵＲＬだったり、Ｅメールアドレスといったデータ形式の識別を行うことが挙げられる。表示部１１が、操作画面や警告画面の場合は、属性データを見ることでテキストデータでも、どのような種類のテキストデータかの識別が可能である。たとえば、テキストデータが数字のみで構成されていて、先頭の番号が局別又はフリーダイヤル（例えば、「０１２０−１２３４−５６７」）番号と一致すればテキストデータは電話番号であると判定してもよい。
【００５１】
また、たとえば、「＠」を含み、メールアドレスで認められている英数字のみで構成されている場合（例えば、「ａｂｃ＠ｄｅｆｇ．ｃｏｍ」）や、全角で「＠」といったデータを含めば、テキストデータはEメールアドレスであると判定してもよい。
【００５２】
また、たとえば、http又はhttp://等から始まるテキストデータ（例えば、「http://abc.com」）であればそのテキストデータはＵＲＬであると判定してもよい。
【００５３】
ただし、ブラウジングではテキストデータに属性が付加されているわけではないので、テキストデータの内容からテキストデータの種類を識別するようにする。
【００５４】
ステップＳ１２５にて送信先の機器への命令を選択されたテキストデータに付加しないと判定された場合、ステップＳ１３０に進む。一方、付加すると判定された場合、抽出手段３３は、テキストデータの種類に合致した送信先の機器への要求を選択されたテキストデータに付加し（ステップＳ１２６）、ステップＳ１３０に進む。
【００５５】
選択されたデータの種類が画像の場合、変換手段２９は、選択されたデータ（画像データ）が接続されている機器で利用可能かを判定する（ステップＳ１２７）。利用可能でない場合、変換手段２９は、選択された画像データを、保持しているデータ形式にあわせて適正な画像形式に変換し（ステップＳ１２８）、ステップＳ１３０に進む。利用可能な場合、ステップＳ１３０に進む。
【００５６】
選択されたデータの種類が指示の場合、変換手段２９は、選択した指示データにあわせた要求データに変換し（ステップＳ１２９）、ステップＳ１３０に進む。
【００５７】
ステップＳ１３０では、通信手段３１は、選択されたデータ、又は変換されたデータを接続された機器に送信し、本処理を終了する。
【００５８】
（具体的な表示例１）
外部装値への具体的な表示例について、図１２を参照しながら説明する。ここでは、ステップＳ１２３にて選択されたデータの種類がテキストの場合であって、ステップＳ１２５にて送信先の機器への命令を付加しないと判定された場合について、選択されたデータが外部機器に表示される例を挙げて説明する。
【００５９】
複合機１０の表示部１１で表示されているデータの一部を選択状態にして、送信処理を実行させる。ここでは、ユーザーＵがＷＥｂブラウザで表示させている表示部１１の電話番号Ａを選択して、スマートフォン１２ａに向けてフリックの動作Ｂを実行する。この結果、接続されている外部機器、ここではスマートフォン１２ａに選択されているデータ（ここでは、電話番号）が送信される。この例では、送信が実行されただけであるため、電話番号が、テキストデータとしてスマートフォン１２ａに送信されている。
【００６０】
表示部１１の選択方式の一例を、図１３を参照しながら説明する。ここでは、ユーザーＵは、選択したい表示箇所で長押しの動作Ａａを一度実行し、次にもう一度タッチ動作Ａｂにより所望の範囲が選択されるという方式です。ここではテキストデータ（電話番号）の範囲を指定して選択処理が実施されている。
【００６１】
表示部１１の選択方式の他の例を、図１４を参照しながら説明する。表示部１１の隣り操作部としてのハードキー１３があり、ハードキー１３内に選択状態を保持するボタン１３ａがある。ユーザーＵがボタン１３ａを押す動作Ａｃを行うことで、タッチ動作Ａｂにより所望の箇所から選択状態にすることができる。あるいは、ハードキー１３を押しっぱなしの状態であれば、選択モードになっており、ユーザーＵがタッチパネルに触れると、タッチした箇所を選択することが可能になるようにしてもよい。
【００６２】
（具体的な表示例２）
外部装値への具体的な表示例について、図１５及び図１６を参照しながら説明する。ここでは、操作画面の中のトナー切れの警告画面を例にしている。ブラウジングではインターネット利用のためのｈｔｍｌタグ情報を元にして表示データを構築するが、表示部１１へ表示するための表示データはユーザーから見て文字と認識されてもテキストデータとは限らない。
【００６３】
そのため、表示部１１に表示する表示用データのそれぞれに識別用データが対応付けられて１次記憶手段２７又は２次記憶手段２８に記憶されている。この対応付けは、ｈｔｍｌタグと同様な手法でも良いし独自の処理方式で対応付けてもよい。これによって、表示部１１から「文字」に見える箇所を選択するとテキストに、「画像」に見える箇所を選択すると画像になる。また「指示」を示すデータの場合は、「指示」データとして取り扱うことが可能になる。つまり、図９のステップＳ１２３に対する判定は、１又は複数のデータの種類を選択し得る。
【００６４】
たとえば、図１５には、表示部１１の各表示データＰ１〜Ｐ１４に対して、２次記憶手段２８に表示データＰ１〜Ｐ１４にそれぞれ対応付けられた識別用データＩ１〜Ｉ１４が記憶されている。
【００６５】
図１５に示されるように、識別用データＩ１〜Ｉ１４には、表示データＰ１〜Ｐ１４の種類のみならず表示データＰ１〜Ｐ１４が何の属性を示すかのデータも有する。よって、例えば、表示データＰ２の「注文してください」が選択されると、表示データＰ２に対応付けられた識別用データＩ２の属性データが「指示」であるため、図９のステップＳ１２９の処理が実行される。つまり、変換手段２９は、表示部１１に表示されているデータの中から必要なデータを抜き出す制御を行い、スマートフォン１２ａ等の外部機器に送信するデータを生成する。
【００６６】
図１６では、表示されているデータの中から、トナーが切れているCyan/Blackのトナー型番であるAC/AKというデータと、注文先になっているEメールアドレス情報が、スマートフォン１２ａに送信されるデータとして生成される。スマートフォン１２ａへの要求が必要であれば、スマートフォン１２ａに送信されるデータにあわせて、メールサービスのアプリケーションの起動を要求するためのコマンドも同時に送信される。これにより、スマートフォン１２ａ側では、送信されたコマンドに応じてメールサービスのアプリケーションが起動し、送信先に注文先が設定され、例えば件名に「トナー注文＜本体複合機の情報＞」が表示され、本文に切れたトナーの型番が記載されたメールが送信可能な状態になる。
【００６７】
なお、外部機器が使用可能なデータ形式の変換については、例えば、複合機１０は、図１７に示されるように、接続される際に外部機器の処理可能なデータ形式を受信し、例えば、２次記憶手段２８に記憶している。
【００６８】
たとえば、スマートフォン１２ａは、Ｊｐｅｇ、Ｇｉｆ、ＭＰ３、ＭＰ４のデータ形式のデータを受け取ることができる。複合機１２ｂは、ＴＩＦＦ、Ｊｐｅｇのデータ形式のデータを受け取ることができる。タブレット型機器１２ｃは、Ｊｐｅｇ、Ｇｉｆ、Ｐｎｇ、ＭＰ１、ＭＰ３、ＭＰ４のデータ形式のデータを受け取ることができる。
【００６９】
また、複合機１０は、インターネットから提供されている各外部機器のデータからデータ形式を受け取ることも可能である。
【００７０】
以上に説明したように、本実施形態に係る画像形成装置によれば、表示部１で表示されているデータを外部機器にて即時に活用することができる。例えば、本実施形態に係る画像形成装置によれば、選択したデータ又は抽出したデータの内容を識別できることができる。これにより、抽出データがテキストなのか画像なのかの識別を行うことで、送信前処理を行う事ができる。
【００７１】
また、本実施形態に係る画像形成装置によれば、選択されたデータに合わせて自動的に外部機器への要求を付加できる。これにより、電話番号の送信と判断したらそれにあわせて外部機器にて電話アプリの起動を行うようにできる。
【００７２】
また、本実施形態に係る画像形成装置によれば、外部機器が処理可能なデータ形式を保持している。よって、保持している処理可能なデータ形式により、選択したデータを、外部機器で使用可能なデータ形式に変換することができる。例えば、本実施形態に係る画像形成装置は、Ｗｅｂ上の写真画像としてＰｎｇ画像を選択して送信する際、外部機器が処理可能なデータ形式でない場合には、外部機器が処理可能な例えばＪｐｅｇ画像に変換して送信することができる。
【００７３】
また、本実施形態に係る画像形成装置によれば、表示部１１に表示されたデータと対応させて表示データの種類を識別できるデータが記憶手段に記憶されている。これにより、表示部１１に表示されているデータは必ずしも文字はテキストとは限らないので、表示データの種類を識別することができる。
【００７４】
また、本実施形態に係る画像形成装置によれば、選択した表示データが指示情報である場合、指示情報に沿った最適な情報を外部機器に送信する。これにより、トナー切れ画面であれば、トナー切れなどの情報をテキスト化し、直ちにメールで注文できるなど、表示部１で表示されているデータを外部機器にて即時に活用することができる。
【００７５】
上記実施形態では、画像形成装置の一例として複合機を例に挙げて説明したが、画像形成装置は、データ変換装置の一例であり、データ変換装置は、複合機に限られず、プリンター，ＦＡＸ装置，複合機、情報処理装置等に通信機能を持たせた機器であればよい。
【００７６】
［ハードウェア構成例］
最後に、一実施形態に係るデータ変換装置のハードウェア構成例について、図１８を参照しながら説明する。本実施形態に係るデータ変換装置には、ＣＰＵ１０６が内蔵されている。ＣＰＵ１０６（コンピュータ）により実行される各機能を実現するためのプログラムは、ＲＯＭ１０４、ＲＡＭ１０５、あるいはＨＤＤ１０８等の記憶手段に予め格納されてもよい。１次記憶手段２７又は２次記憶手段２８の記憶手段は、ＲＡＭ１０４やＨＤＤ１０８により実現され、表示用データと識別用データとを記憶してもよい。
【００７７】
前記プログラムは、記録媒体であるＣＤ−ＲＯＭあるいはフレキシブルディスク，ＳＲＡＭ，ＥＥＰＲＯＭ，メモリカード等の不揮発性記録媒体（メモリ）に記録されてもよい。
【００７８】
本実施形態に係るデータ変換装置の機能は、ＲＯＭ１０４やＨＤＤ１０８等の記憶手段に記録されたプログラムをＣＰＵ１０６に実行させることにより実現され得る。制御手段２３、編集手段２６、変換手段２９、電子化判定手段３０、選択手段３２及び抽出手段３３の各機能は、ＣＰＵ１０６の機能として実現され得る。
【００７９】
さらに、前記プログラムは、通信回路１０３の機能を用いてＩＰネットワーク網１１０に接続され、プログラムを記録した記録媒体を備える外部機器あるいはプログラムを記憶手段に記憶した外部機器からダウンロードすることもできる。通信手段３１の機能は、通信回路１０３の機能として実現され得る。
【００８０】
キーボード１０１は、入力装置の一例であり、各装置に各操作信号を入力するのに用いられる。入力装置は、キーボード１０１の替わりにマウスやタッチパネルを用いることもできる。操作手段２２及び画像入力手段２４は、入力装置の機能として実現され得る。
【００８１】
ディスプレイ１０２（表示部１１に相当）は、表示装置の一例であり、各装置による処理結果を表示する。表示手段２１は、表示装置の機能として実現され得る。
【００８２】
スピーカ１０７は、出力装置の一例であり、各装置に各操作信号を出力するのに用いられる。ディスプレイ１０２等の表示装置は、出力装置の一例である。
【００８３】
以上、添付図面を参照しながら本発明に係るデータ変換装置、データ提供方法およびプログラムの好適な実施形態について詳細に説明したが、本発明の技術的範囲はかかる例に限定されない。本発明の技術分野における通常の知識を有する者であれば、特許請求の範囲に記載された技術的思想の範疇において、各種の変更例または修正例に想到し得ることは明らかであり、これらについても、当然に本発明に係るデータ変換装置、データ提供方法およびプログラムの技術的範囲に属する。また、上記実施形態及び変形例が複数存在する場合、矛盾しない範囲で組み合わせることができる。
【００８４】
例えば、選択された所定のデータに関連する、画面の表示内容に対応したデータを抽出する手段は、選択されたデータに対して関連する画面上のデータを抽出してもよいし、関連する表示内容のデータを抽出してもよい。また、前記抽出する手段は、選択されたデータそのものを抽出してもよいし、選択されたデータを注文するためのデータを抽出してもよい。また、それらの組み合わせであってもよい。
【符号の説明】
【００８５】
１０：複合機、１１：表示部、１２ａ：スマートフォン、１２ｂ：複合機、２１：表示手段、２２：操作手段、２３：制御手段、２４：画像入力手段、２５：画像出力手段、２６：編集手段、２７：１次記憶手段、２８：２次記憶手段、２９：変換手段、３０：電子化判定手段、３１：通信手段、３２：選択手段、３３：抽出手段
【先行技術文献】
【特許文献】
【００８６】
【特許文献１】特開２０１２−９３８７７号公報
【特許文献２】特許第３９７７３９２号公報
【特許文献３】特開２００６−２１１４７２号公報
【図１】
2014165652.tif 000003
【図２】
2014165652.tif 000004
【図３】
2014165652.tif 000005
【図４】
2014165652.tif 000006
【図５】
2014165652.tif 000007
【図６】
2014165652.tif 000008
【図７】
2014165652.tif 000009
【図８】
2014165652.tif 000010
【図９】
2014165652.tif 000011
【図１０】
2014165652.tif 000012
【図１１】
2014165652.tif 000013
【図１２】
2014165652.tif 000014
【図１３】
2014165652.tif 000015
【図１４】
2014165652.tif 000016
【図１５】
2014165652.tif 000017
【図１６】
2014165652.tif 000018
【図１７】
2014165652.tif 000019
【図１８】
2014165652.tif 000020